(57)【要約】【課題】処置具の使用時及び不使用時の両方の状態において、水撃作用等による汚液漏れを確実に防止することができる内視鏡の鉗子栓を提供すること。【解決手段】鉗子栓本体１１内に形成されて処置具挿通チャンネル３内の圧力を直接受ける弾力性のある材料からなる内側閉鎖膜１７が、奥側に向かって漸次窄まったＶ字状の断面形状に形成されて、その突端部分に、常態では閉じていて処置具挿通チャンネル３に挿脱される処置具５０の通過により押し広げられるスリット１８が形成され、蓋体１２に形成された弾力性のある材料からなる外側閉鎖膜１５に、処置具挿通チャンネル３に挿脱される処置具５０の通過により押し広げられる円形の小孔１６が形成されている。【選択図】      図１
2009028197.tif 000002
【特許請求の範囲】
【請求項１】
内視鏡の処置具挿通チャンネルに連通する状態に基端側が上記処置具挿通チャンネルの入口に取り付けられた鉗子栓本体と、その鉗子栓本体の突端側開口部に着脱自在に取り付けられた蓋体とを備えた内視鏡の鉗子栓であって、
上記鉗子栓本体内に形成されて上記処置具挿通チャンネル内の圧力を直接受ける弾力性のある材料からなる内側閉鎖膜が、奥側に向かって漸次窄まったＶ字状の断面形状に形成されて、その突端部分に、常態では閉じていて上記処置具挿通チャンネルに挿脱される処置具の通過により押し広げられるスリットが形成され、
上記蓋体に形成された弾力性のある材料からなる外側閉鎖膜に、上記処置具挿通チャンネルに挿脱される処置具の通過により押し広げられる円形の小孔が形成されていることを特徴とする内視鏡の鉗子栓。
【請求項２】
上記小孔が上記外側閉鎖膜の中央位置に形成されていて、上記外側閉鎖膜の肉厚が周辺側から中央側へ漸次薄く形成されている請求項１記載の内視鏡の鉗子栓。
【発明の詳細な説明】
【技術分野】
【０００１】
この発明は、内視鏡の処置具挿通チャンネルを通って逆流する体内汚液等が処置具挿通チャンネルの入口部から吹き出さないようにするための内視鏡の鉗子栓に関する。
【背景技術】
【０００２】
内視鏡の鉗子栓は一般に、処置具挿通チャンネルに連通する状態に処置具挿通チャンネルの入口に取り付けられる鉗子栓本体と、その鉗子栓本体の突端側開口部に着脱自在に取り付けられた蓋体とを備えていて、処置具挿通チャンネルに挿脱される処置具の通過により押し広げられる閉鎖膜が、鉗子栓本体内と蓋体の各々に形成されている。
【０００３】
そして、旧来の鉗子栓においては、鉗子栓本体側の内側閉鎖膜に小孔が形成されて、蓋体側の外側閉鎖膜にスリットが形成されていたのが普通であったが、処置具が使用されていない状態の時に、患者のゲップ等による処置具挿通チャンネル内の圧力の急上昇（いわゆる水撃現象）があった時に、汚液の飛散等を完全に防止するのが難しかった（例えば、特許文献１）。
【０００４】
そこで、近年の内視鏡の鉗子栓においては、内側閉鎖膜を奥側（即ち、処置具挿通チャンネル側）にむかって漸次窄まったＶ字状の断面形状に形成して、その突端部分にスリットを形成したものがある（例えば、特許文献２）。
【特許文献１】特開２００５−５２４５４
【特許文献２】特開２００６−２８８７８０
【発明の開示】
【発明が解決しようとする課題】
【０００５】
特許文献２に形成された内視鏡の鉗子栓においては、処置具が使用されていない状態の時には、水撃の圧力が内側閉鎖膜のスリットを強く閉じる方向に作用するので、汚液の飛散等をほぼ完全に防止することができる。
【０００６】
しかし、内外二重の閉鎖膜に各々スリットが形成されている構成なので、処置具が通された使用状態においては、処置具の通過により押し広げられたスリットの端部と処置具との間に生じる隙間からの漏れを完全に防止することができず、水撃作用により汚液漏れが発生してしまう場合がある。
【０００７】
本発明は、処置具の使用時及び不使用時の両方の状態において、水撃作用等による汚液漏れを確実に防止することができる内視鏡の鉗子栓を提供することを目的とする。
【課題を解決するための手段】
【０００８】
上記の目的を達成するため、本発明の内視鏡の鉗子栓は、内視鏡の処置具挿通チャンネルに連通する状態に基端側が処置具挿通チャンネルの入口に取り付けられた鉗子栓本体と、その鉗子栓本体の突端側開口部に着脱自在に取り付けられた蓋体とを備えた内視鏡の鉗子栓であって、鉗子栓本体内に形成されて処置具挿通チャンネル内の圧力を直接受ける弾力性のある材料からなる内側閉鎖膜が、奥側に向かって漸次窄まったＶ字状の断面形状に形成されて、その突端部分に、常態では閉じていて処置具挿通チャンネルに挿脱される処置具の通過により押し広げられるスリットが形成され、蓋体に形成された弾力性のある材料からなる外側閉鎖膜に、処置具挿通チャンネルに挿脱される処置具の通過により押し広げられる円形の小孔が形成されているものである。
【０００９】
なお、小孔が外側閉鎖膜の中央位置に形成されていて、外側閉鎖膜の肉厚が周辺側から中央側へ漸次薄く形成されていてもよい。
【発明の効果】
【００１０】
本発明によれば、鉗子栓本体内の内側閉鎖膜が奥側に向かって漸次窄まったＶ字状の断面形状に形成されて、その突端部分にスリットが形成され、蓋体に形成された外側閉鎖膜に円形の小孔が形成されていることにより、処置具不使用時にはＶ字状の断面形状の内側閉鎖膜で汚液漏れが確実に阻止され、処置具使用時には外側閉鎖膜の小孔部で汚液漏れが確実に阻止されるので、処置具の使用時及び不使用時の両方の状態において、水撃作用等による汚液漏れを確実に防止することができる。
【発明を実施するための最良の形態】
【００１１】
内視鏡の処置具挿通チャンネルに連通する状態に基端側が処置具挿通チャンネルの入口に取り付けられた鉗子栓本体と、その鉗子栓本体の突端側開口部に着脱自在に取り付けられた蓋体とを備えた内視鏡の鉗子栓であって、鉗子栓本体内に形成されて処置具挿通チャンネル内の圧力を直接受ける弾力性のある材料からなる内側閉鎖膜が、奥側に向かって漸次窄まったＶ字状の断面形状に形成されて、その突端部分に、常態では閉じていて処置具挿通チャンネルに挿脱される処置具の通過により押し広げられるスリットが形成され、蓋体に形成された弾力性のある材料からなる外側閉鎖膜に、処置具挿通チャンネルに挿脱される処置具の通過により押し広げられる円形の小孔が形成されている。
【実施例】
【００１２】
以下、図面を参照して本発明の実施例を説明する。
図４は内視鏡の全体構成を示しており、１は挿入部、２は、挿入部１の基端に連結された操作部である。
【００１３】
挿入部１内には、処置具５０を挿通するための処置具挿通チャンネル３が全長にわたって挿通配置されていて、操作部２の下端部に配置された処置具挿通チャンネル３の入口開口部には、処置具挿通チャンネル３内を通って逆流する体内汚液等が外方に吹き出さないようにするための鉗子栓１０が着脱自在に取り付けられている。
【００１４】
図１は鉗子栓１０を示している。鉗子栓１０は、処置具挿通チャンネル３の入口口金４に取り付けられる鉗子栓本体１１と、鉗子栓本体１１の突端側開口部に着脱自在な蓋体１２とを備えていて、全体が弾力性のあるゴム材等によって構成されている。
【００１５】
鉗子栓本体１１の内面の基端寄りの部分には、処置具挿通チャンネル３の入口口金４に対して係脱自在な小径部１３が形成されており、小径部１３を弾性変形させて、入口口金４を締め付ける状態に取り付け或いは取り外すことができる。
【００１６】
蓋体１２は、弾力性のあるゴム材で蓋体１２と一体に形成された連結紐状部材１４により鉗子栓本体１１の基部と一体に連結されていて、鉗子栓本体１１から取り外されてもその近くにぶら下げられた状態になるようになっている。
【００１７】
蓋体１２が係合する鉗子栓本体１１の突端寄りの半部の外周壁は、突端側へ漸次径が大きくなる逆テーパ筒状に形成されて、そこに係合する蓋体１２側は鉗子栓本体１１側の形状に対応する逆テーパ孔状に形成されている。
【００１８】
したがって、蓋体１２を弾性変形させて、図１に示されるように鉗子栓本体１１に被せると、蓋体１２が鉗子栓本体１１の外面に密着して鉗子栓本体１１に対し固定された状態になり、その状態から蓋体１２を弾性変形させれば鉗子栓本体１１から取り外すことができる。
【００１９】
そのように構成された蓋体１２内と鉗子栓本体１１内には、外側閉鎖膜１５と内側閉鎖膜１７が形成されている。蓋体１２に一体成形された外側閉鎖膜１５は、外面が半球状に窪んだ形状に形成されていて、処置具挿通チャンネル３に挿脱される処置具５０の通過により押し広げられる円形の小孔１６が形成されている。図２はその平面図である。
【００２０】
小孔１６は、処置具５０の大半の部分を閉めるシース部の外径より小さな径で外側閉鎖膜１５の中央位置に形成されていて、処置具５０の通過時に外側閉鎖膜１５が滑らかに変形するように、外側閉鎖膜１５の肉厚が、図１に示されるように周辺側から小孔１６側へ漸次薄く形成されている。
【００２１】
一方、鉗子栓本体１１に一体成形されて処置具挿通チャンネル３内の圧力を直接受ける内側閉鎖膜１７は、奥側に向かって（即ち、処置具挿通チャンネル３側に向かって）漸次窄まったＶ字状の断面形状に形成されて、その突端部分に、常態では閉じていて処置具挿通チャンネル３に挿脱される処置具５０の通過により押し広げられる「−」状のスリット１８が形成されている。図３はその部分の外観斜視図である。
【００２２】
このように構成された内視鏡の鉗子栓において、処置具挿通チャンネル３に処置具５０が挿通されていない状態では、患者のゲップ等により水撃が発生しても、その圧力が内側閉鎖膜１７のスリット１８を強く閉じる方向に作用するので、汚液が外部に飛散しない。
【００２３】
ただし、図５に示されるように、処置具挿通チャンネル３に処置具５０が挿通された使用状態においては、図７に示されるように、処置具５０の通過により押し広げられたスリット１８の端部と処置具５０との間に生じる隙間Ａからの汚液漏れを完全に防止することができない。
【００２４】
しかし、図６に示されるように、蓋体１２側において、処置具５０の外径より径の小さな円形の小孔１６が処置具５０により押し広げられ、小孔１６が処置具５０を隙間なく締め付けた状態になるので、そこで外部への汚液漏れが確実に阻止される。
【００２５】
このようにして、処置具５０の使用時及び不使用時の両方の状態において、水撃作用による鉗子栓１０からの汚液漏れを確実に防止することができる。また、外側閉鎖膜１５の肉厚が、周辺側から小孔１６側へ漸次薄く形成されていて、逆にいうと中央側から周辺側へ漸次厚く形成されているので、太い径の処置具５０が通されたような場合であっても外側閉鎖膜１５が簡単に破れたりせず、優れた耐久性を保持することができる。
【図面の簡単な説明】
【００２６】
【図１】本発明の実施例の内視鏡の鉗子栓の側面断面図である。
【図２】本発明の実施例の内視鏡の鉗子栓の平面図である。
【図３】本発明の実施例の内視鏡の鉗子栓の部分斜視図である。
【図４】本発明の実施例の内視鏡の全体構成を示す外観図である。
【図５】本発明の実施例の鉗子栓本体に処置具が通された使用状態の側面断面図である。
【図６】本発明の実施例の鉗子栓本体に処置具が通された使用状態の小孔部分の斜視図である。
【図７】本発明の実施例の鉗子栓本体に処置具が通された使用状態のスリット部分の斜視図である。
【符号の説明】
【００２７】
３  処置具挿通チャンネル
１０  鉗子栓
１１  鉗子栓本体
１２  蓋体
１５  外側閉鎖膜
１６  小孔
１７  内側閉鎖膜
１８  スリット
５０  処置具
【図１】
2009028197.tif 000003
【図２】
2009028197.tif 000004
【図３】
2009028197.tif 000005
【図４】
2009028197.tif 000006
【図５】
2009028197.tif 000007
【図６】
2009028197.tif 000008
【図７】
2009028197.tif 000009